(57)【要約】      （修正有）【課題】接続スペースがあまりなくとも接続可能で、１本毎に埋設された波付き管同士の接続はもちろんのこと、波付き管を複数本集合して形成した波付き管ユニット同士の接続にも適用できる管継手付き波付き管を提供する。【解決手段】管継手付き波付き管は、一端に管継手雄部１を有し、他端に管手雄部１に勘合する管継手雌部１０とを有する管継手付き波付き管であって、管継手雄部１は、その先端部の外周全周に亘って係止部７を有し、かつ係止部７から管軸方向に所定距離隔てた位置にリング状の防水用パッキン４を有していて、管継手雌部１０は、接続相手側の管継手雄部１が挿入された後、係止部７に係止して管継手雌部１０から管継手雄部１が抜けるのを防止する係止爪１３ａを有する抜け止めリング１３及びこの抜け止めリング１３を収納する抜け止めリング収納部１１を有している。【選択図】図６
2010210093.tif 000002
【特許請求の範囲】
【請求項１】
一端に管継手雄部を有し、他端に前記管継手雄部に勘合する管継手雌部を有する管継手付き波付き管であって、前記管継手雄部は、その先端部に外周方向に亘って設けられた係止部と、該係止部から管軸方向に所定距離隔てた後方の位置に設けられたリング状の防水用パッキン及び該防水用パッキンを収納する防水用パッキン収納部とを有し、前記管継手雌部は、その先端部に前記防水用パッキンを押圧する防水用パッキン押圧部と、該防水用パッキン押圧部の後方に、接続相手側の前記管継手雄部が挿入された後、前記係止部に係止して管継手雌部から前記管継手雄部が抜けるのを防止する係止爪を有する抜け止めリング及びこの抜け止めリングを収納する抜け止めリング収納部とを有していることを特徴とする管継手付き波付き管。
【請求項２】
前記抜け止めリング収納部の外形は角数が２ｎ（ｎ＝２以上の自然数）の多角形の形状をしていて、対向する互いに平行な面間の距離は波付き管の外径とほぼ同じであることを特徴とする請求項１記載の管継手付き波付き管。
【請求項３】
前記防水用パッキンは、波付き管先端部に向かって縮径し、縮径した先端部の外径が前記管継手雌部の防水用パッキン押圧部の内径よりも小さく、他端側の外径が前記防水用パッキン押圧部の内径よりも大きい断面スカート状の防水用パッキンであることを特徴とする請求項１または請求項２いずれかに記載の管継手付き波付き管。
【請求項４】
前記抜け止めリングは周方向に割りが設けられ、かつ半径方向外側に付勢されていることを特徴とする請求項１乃至請求項３いずれかに記載の管継手付き波付き管。
【請求項５】
前記管継手雄部は、前記防水用パッキン収納部の後方に、前記管継手雌部に設けられた抜け止めリング収納部と外形が同一形状の枕部を有していて、かつ両者はその一辺を同一平面上に有していることを特徴とする請求項１乃至請求項４いずれかに記載の管継手付き波付き管。
【請求項６】
前記管継手付き波付き管が複数本、その端面が揃えられ、かつ隣接する管継手付き波付き管同士の前記枕部の一辺が互いに接触するように、水平方向及び垂直方向に並列に配置され、かつ所定間隔で互いが全体的に結束されていることを特徴とする請求項１乃至請求項５いずれかに記載の管継手付き波付き管を用いてなる管継手付き波付き管ユニット。
【発明の詳細な説明】
【技術分野】
【０００１】
本発明は、ケーブル類を地中に埋設する際、ケーブル類を保護するために用いる管継手
付き波付き管及びこの管継手付き波付き管を複数本束ねた管継手付き波付き管ユニットに
関するものである。
【背景技術】
【０００２】
従来から、例えば、通信ケーブルを地中に埋設するような場合、これらケーブルを保護するために、ケーブルをプラスチック製の波付き管に挿通している。
このように波付き管を用いる理由は、波付き管が側圧特性に優れ、しかも可撓性に優れていて、地中に埋設しても潰れ難く、しかも障害物があった際の迂回も容易で、また地盤沈下等の地盤変動にも対応ができるからである。
【０００３】
ところで布設される波付き管同士を接続する場合、接続する両波付き管の端部の波形状に合わせた波をその内面に有する２つ割り形状の管継手を予め用意しておいて、接続時、この管継手を接続する波付き管の端部に跨って被せ、２つ割りの管継手の一方に設けたフックを、他方の管継手に設けた係止部に引っ掛けて係止するものがある（特許文献１）。また特許文献２の図４に開示されているように、内面に波付き管の波に対応した波形状を有する管継手に一方の波付き管の端部をねじ込み、しかる後この管継手の他方の端部に接続相手の波付き管の端部をねじ込むものもある。
【先行技術文献】
【特許文献】
【０００４】
【特許文献１】特開平７−１６７３６２号公報
【特許文献２】特開２００２−３３３０８６号公報
【発明の概要】
【発明が解決しようとする課題】
【０００５】
ところで昨今において、波付き管を１本ごと、別々に布設するのではなく、複数本を集合して結束して、すなわちユニット化して、これを地中に埋設する方法が検討され、既に一部実用化されてきている。
その理由は、波付き管を複数本集合してユニット化を図った方が、布設作業が容易で、コストダウンも図れ、しかも埋設後の側圧強度や圧壊強度が、１本毎埋設したものより高くなるからである。
このように波付き管を複数本結束してユニット化する場合、波付き管自体を断面矩形にして上下左右に隣接する波付き管同士を、矩形形状の一辺同士を互いに接触させて結束したり、波付き管の長手方向に所定間隔で矩形形状の枕部を設けておいて、この枕部の矩形形状の一辺同士を互いに接触させて結束するなどして、波付き管をコンパクトに配列する工夫もなされている。
【０００６】
ところで、このように波付き管同士をコンパクトに配列して集合した波付き管のユニット同士を接続する場合、個々の波付き管の周囲には、波付き管同士を接続する場合の作業スペースがほとんどないのが実状である。より具体的には、ユニットを構成する各波付き管同士の間には、接続作業者の手すら入るスペースがない場合が多い。
そのため、前述した特許文献１や特許文献２に開示されているような形状の管継手では、この種の波付き管のユニットには全く対応できない、という問題がある。
【０００７】
上記問題に鑑み本発明の目的は、接続スペースがあまりなくとも接続可能で、１本毎に埋設された波付き管同士の接続はもちろんのこと、波付き管を複数本集合して形成した波付き管のユニット同士の接続にも適用できる管継手付き波付き管を提供することにある。
【課題を解決するための手段】
【０００８】
前記目的を達成すべく本発明の請求項１記載の管継手付き波付き管は、一端に管継手雄部を有し、他端に前記管継手雄部に勘合する管継手雌部を有する管継手付き波付き管であって、前記管継手雄部は、その先端部に外周方向に亘って設けられた係止部と、該係止部から管軸方向に所定距離隔てた後方の位置に設けられたリング状の防水用パッキン及び該防水用パッキンを収納する防水用パッキン収納部とを有し、前記管継手雌部は、その先端部に前記防水用パッキンを押圧する防水用パッキン押圧部と、該防水用パッキン押圧部の後方に、接続相手側の前記管継手雄部が挿入された後、前記係止部に係止して管継手雌部から前記管継手雄部が抜けるのを防止する係止爪を有する抜け止めリング及びこの抜け止めリングを収納する抜け止めリング収納部とを有していることを特徴とする。
【０００９】
このようにしてなる請求項１記載の管継手付き波付き管によれば、一方の管継手付き波付き管の端部に設けられている管継手雄部を、接続相手側の管継手付き波付き管の端部に形成されている管継手雌部に挿入するだけで、ワンタッチで両者の接続を行うことができる。それ故、管継手付き波付き管の周囲に作業スペースがほとんどなくとも接続作業を容易に行うことができる。
【００１０】
また請求項２記載の管継手付き波付き管は、請求項１記載の管継手付き波付き管において、前記抜け止めリング収納部の外形は角数が２ｎ（ｎ＝２以上の自然数）の多角形の形状をしていて、対向する互いに平行な面間の距離は波付き管の外径とほぼ同じであることを特徴とするものである。
【００１１】
このようにしてなる請求項２記載の管継手付き波付き管によれば、抜け止めリング収納部もこの管継手付き波付き管を複数本集合してユニット化する際の枕部として使えるため、ユニット化が容易である。またこの抜け止めリング収納部の対向する互いに平行な面間の距離は波付き管の外径とほぼ同じであるため、ユニット化をよりコンパクトに行える利点もある。
【００１２】
さらにまた請求項３記載の管継手付き波付き管は、請求項１記載または請求項２いずれかに記載の管継手付き波付き管において、前記防水用パッキンは、波付き管先端部に向かって縮径し、縮径した先端部の外径が前記管継手雌部の防水用パッキン押圧部の内径よりも小さく、他端側の外径が前記防水用パッキン押圧部の内径よりも大きい断面スカート状の防水用パッキンであることを特徴とする。
このようにしてなる請求項３記載の防水用パッキンによれば、断面スカート状の径の大きな裾部分が接続相手側の管継手雌部の防水用パッキン押圧部の内面で半径方向内側により押圧され易いため、より高い防水特性を得ることができる。
【００１３】
また請求項４記載の管継手付き波付き管は、請求項１乃至請求項３いずれかに記載の管継手付き波付き管において、前記抜け止めリングは周方向に割りが設けられ、半径方向外側に付勢されていることを特徴としている。
このようにしてなる請求項４記載の管継手付き波付き管によれば、抜け止めリングは外側から内側に向けて押すと、簡単に縮径するので、管継手雌部内の抜け止めリング収納部に収納する際、縮径した状態で収納作業が行えるため、収納作業が容易である。
【００１４】
また請求項５記載の管継手付き波付き管は、請求項１乃至請求項４いずれかに記載の管継手付き波付き管において、前記管継手雄部は前記防水用パッキン収納部の後方に前記管継手雌部に設けられた抜け止めリング収納部と外形が同一形状の枕部を有していて、かつ両者はその一辺を同一平面上に有していることを特徴とする。
このようにしてなる請求項５記載の管継手付き波付き管によれば、抜け止めリング収納部も枕部として使用でき、しかも管継手雄部と管継手雌部に共に枕部を有することになるため、複数本の管継手付き波付き管を集合してユニット化する際、集合体（ユニット）をよりコンパクトに集合でき、好ましい。
【００１５】
加えて、請求項６記載の管継手付き波付き管ユニットは、請求項１乃至請求項５いずれかに記載の管継手付き波付き管を用いてなる管継手付き波付き管ユニットであって、前記管継手付き波付き管が複数本、その端面が揃えられ、かつ隣接する管継手付き波付き管同士の前記枕部の一辺が互いに接触するように、水平方向及び垂直方向に並列に配置され、かつ所定間隔で互いが全体的に結束されていることを特徴とするものである。
【００１６】
このようにしてなる請求項６記載の管継手付き波付き管ユニットは、隣接する管継手付き波付き管同士間にほとんど無用なスペースを有することなく、複数本の管継手付き波付き管を配置できるため、極めてコンパクトな管継手付き波付き管ユニットを得ることができる。
【発明の効果】
【００１７】
以上のように本発明の管継手付き波付き管によれば、接続スペースがあまりなくとも接
続可能で、１本毎に埋設される波付き管同士の接続はもちろんのこと、波付き管を複数本
集合して形成した波付き管ユニット同士の接続にも適用できる管継手付き波付き管を提供することができる。
【図面の簡単な説明】
【００１８】
【図１】本発明の管継手付き波付き管の管継手雄部の一実施例を示すもので、（ａ）は側面図、（ｂ）は正面図である。
【図２】本発明の管継手付き波付き管の管継手雌部の一実施例を示すもので、（ａ）は正面図、（ｂ）は側面図である。
【図３】図２に示す管継手雌部内に収納されている抜け止めリングの収納状態を示すもので、（ａ）は正面図、（ｂ）は側面図である。
【図４】図２に示す管継手雌部内に収納されている抜け止めリングの一実施例を示すもので、（ａ）は正面図、（ｂ）は側面図、そして（ｃ）は背面図である。
【図５】本発明の管継手付き波付き管の管継手雌部と管継手雄部を接続する直前の状態を示す側面図である。
【図６】本発明の管継手付き波付き管の管継手雌部と管継手雄部を接続した状態を示す側面図である。
【図７】本発明の管継手付き波付き管の管継手雌部と管継手雄部を接続した状態であって、図６の状態から管継手雄部を軸方向に引っ張った状態を示す側面図である。
【図８】本発明の管継手付き波付き管を積層してユニット化した状態を示す側面図である。
【図９】図８におけるＢ方向から見た正面図である。
【発明を実施するための形態】
【００１９】
以下に図を用いて、本発明の管継手付き波付き管及び管継手付き波付き管ユニットを詳細に説明する。
【００２０】
図１〜図７は本発明の管継手付き波付き管の一実施例を示すものである。
図１は、本発明の管継手付き波付き管の一端部に形成されている管継手雄部の一実施例を示すもので（ａ）は側面図、（ｂ）は正面図である。尚、側面図（ａ）において、向かって左側の波付け管部は一山のみ残してそれ以外は省略されている。
図１において、本発明の管継手付き波付き管の管継手雄部１は、管の端末部近傍に外形略八角形の枕部２を有している。この枕部２の外形は、略八角形の形状に限定されず、後述する抜け止めリング収納部の外形と同様に、その角数が２ｎ（ｎ＝２以上の自然数）の多角形の形状をしていて、対向する互いに平行な面間の距離Ｌは、波付き管の外径、すなわち、この管継手付き波付き管の山部３の外径とほぼ同じ寸法にしてある。
【００２１】
枕部２よりも、この管継手雄部１の先端に近い位置に、防水用パッキン４を収納する溝状の防水用パッキン収納部５が設けられている。この防水用パッキン収納部５内には、管継手雄部１の先端部に向かって縮径する断面スカート状で環状の、ゴム製の防水用パッキン４が収納されている。
いうまでもなく、この防水用パッキン４のスカート状の裾部分（最大外径の部分）の外径は、この管継手雄部１と、後述する接続相手側の管継手雌部が接続された際、この防水用パッキン４上に位置する管継手雌部側の対応部分（後述する防水用パッキン押圧部）の内径よりも大きくなっている。そのため、両者が接続された状態では、防水用パッキン４のスカート状の裾部分は管継手雌部の対応部分の内面によって、半径方向内側に押圧され、その結果、水密性、液密性を確保するための防水用パッキンとして作用するようになっている。
一方、防水用パッキン４の縮径した先端部の外径が、管継手雌部側の対応部分（後述する防水用パッキン押圧部）の内径よりも小さくなっていて、管継手雌部内への管継手雄部１の挿入を容易にしている。
【００２２】
同時に、このように断面がスカート状になっていることにより、防水用パッキン４の基部の外径の小さい部分から、裾部の最大外径に至るまでの外径変化を大きく取れる。その結果、接続相手側である管継手雌部側のこの防水用パッキン４と接触する部分の内径に多少製造誤差があっても、確実に防水用パッキン４を半径方向内側に押圧可能となり、信頼性の高い防水性を確保できる。
【００２３】
さらに管継手雄部１の防水用パッキン収納部５より先には、小径部６が設けられ、さらにこの先、すなわち管継手雄部１の先端部には、小径部６より大径の外径Ｄ１を有する係止部７が管継手雄部１の周方向にわたって形成されている。
【００２４】
図２は、図１に示されている管継手雄部１に接続可能な雌部で、波付き管の他端に設けられている管継手雌部１０を示している。
ここで図２（ａ）は管継手雌部１０の正面図、図２（ｂ）は側面図である。図２（ｂ）においても、図１（ａ）同様に、向かって右側の波付け管部は山部３を一山のみ残してそれ以外は省略されている。
【００２５】
図２において、符号１１は抜け止めリング収納部で、この内側に、例えば、ＡＢＳ樹脂の如き比較的硬い樹脂からなる抜け止めリング１３が収納される。この抜け止めリング収納部１１よりも管継手雌部１０の先端側は、前述した管継手雄部１がこの管継手雌部１０に挿入されたとき、防水用パッキン４を押圧する防水用パッキン押圧部１２となっている。すなわち、防水用パッキン押圧部１２の内径は、防水用パッキン４のスカート部の裾の外径（最大外径の部分）よりも小さくなっていて、この管継手雌部１０に管継手雄部１が挿入されると、この防水用パッキン押圧部１２の内面で防水用パッキン４を半径方向内側に押圧し、確実な防水特性が得られるようになっている。
【００２６】
図３は図２で示す管継手雌部１０の抜け止めリング収納部１１内に収納されている抜け止めリング１３の収納状態を示すもので、図３（ａ）は正面図、図３（ｂ）は側面図である。
また図４は、抜け止めリング収納部１１内に収納されている抜け止めリング１３そのものを示しており、図４（ａ）は抜け止めリング１３の正面図、図４（ｂ）はその側面図、そして図４（ｃ）は、抜け止めリング１３を裏側から見た背面図を示している。また図４（ａ）の右下に描かれている図は、図４（ａ）のＡ−Ａ断面図である。
【００２７】
図３及び図４に示すように、この抜け止めリング１３は、その周方向に多数の係止爪１３ａを有していて、これらの係止爪１３ａの先端が管継手雌部１０の後方を向くように管継手雌部１０の抜け止めリング収納部１１内に収納されている。
またこの係止爪１３ａは、その先端が半径方向内向きに折り曲げられていて、折り曲げられた係止爪１３ａの先端がなす円の内径が、前述した管継手雄部１の係止部７の外径Ｄ１よりも小さく、かつ管継手雄部１の小径部６の外径Ｄ２とほぼ等しいか、それより大きい内径Ｄ３になっている。
【００２８】
さらに符号１４は、この抜け止めリング１３が管継手雌部１０の抜け止めリング収納部１１から抜けるのを防止するストッパーである。一度抜け止めリング収納部１１に収納した抜け止めリング１３が、簡単に管継手雌部１０から抜け出ないように設けられているもので、抜け止めリング１３が抜け止めリング収納部１１から抜け出ようとすると、このストッパー１４が抜け止めリング収納部１１の壁にぶつかって、簡単には抜け出ないようになっている。因みに、この壁を構成しているのは、図３（ｂ）に示すように、抜け止めリング収納部１１に隣接して管継手雌部１０の先端側に環状に形成されている絞り部１５ａである。この絞り部１５ａの内径は抜け止めリング１３の外径よりも若干小さく設計されている。尚、抜け止めリング収納部１１の後方にも内面円形状で、絞り部１５ａと同形の絞り部１５ｂが設けられていて、抜け止めリング１３が抜け止めリング収納部１１内に確実に保持されるようになっている。
【００２９】
また図３、図４において符号１６は、抜け止めリング１３の周方向の一箇所を切り割って設けた、いわゆる割り（スリット）である。このようにすることで抜け止めリング１３は外側に向かって広がるように付勢されている。それ故、この抜け止めリング１３を装着する場合には、抜け止めリング１３を半径方向内側に力を加えて縮径しながら抜け止めリング収納部１１内に挿入する。
【００３０】
また図２、図３に示す抜け止めリング収納部１１の外形は、図１に示す管継手雄部１の枕部２と略同形、同寸法になっている。
【００３１】
図３に示すように、管継手雌部１０の抜け止めリング収納部１１内に抜け止めリング１３を収納した状態で、一方の管継手付き波付き管の一端の管継手雄部１に、接続相手の管継手付き波付き管の他端に形成されている管継手雌部１０を向かい合わせ、しかる後、図５に示すように、管継手雄部１を管継手雌部１０に挿入する。
【００３２】
図６は、管継手雄部１を管継手雌部１０に挿入した状態を示している。
このとき、前述したように、抜け止めリング１３をＡＢＳ樹脂の如き比較的硬質の樹脂で形成すれば、挿入時、係止爪１３ａが管継手雄部１の係止部７の山を越えて、係止部７の外径よりも外径の小さい小径部６側に落ち着こうとする際、パチンと音がする場合が多い。このように比較的硬い合成樹脂で抜け止めリング１３を製造すると、管継手雄部１と管継手雌部１０とが確実に勘合したことをこの音から確認でき、好ましい。
尚、抜け止めリング１３を金属製のバネ材で形成しても、同様の効果が得られ、好ましい。
【００３３】
図６に示す状態では、管継手雄部１側の防水用パッキン４は半径方向内側に、管継手雌部１０の防水用パッキン押圧部１２で押圧されている。また管継手雄部１の係止部７で一度拡径された抜け止めリング１３の爪１３ａの先端は、管継手雄部１の小径部６上で元の状態に戻っていて、それ故、図７に示すように、例えば管継手雄部１を図７に向かって左方向に引っ張って、管継手雌部１０から抜こうとしても、爪１３ａの先端が、管継手雄部１の係止部７の端部に引っ掛かって抜ける心配はない。
【００３４】
ところで、図６と図７を比較した場合、図６は管継手雌部１０に対して管継手雄部１を目一杯押し込んだ状態を、そして図７は管継手雌部１０に対して管継手雄部１を左方向に目一杯引き抜こうと引っ張った状態を示している。
これら図６、図７において、管継手雄部１の先端部の係止部７の位置に着目すると、係止部７は図６の状態と図７の状態では、その位置がｔだけずれている。すなわち、これが遊びになっている。
このように遊びｔを設けることで、本発明の管継手付き波付き管の如き長尺なもの同士を接続する場合、接続端末における管継手付き波付き管長手方向の長さ調整が、よりやり易く行える利点がある。
この遊びｔをどの程度確保しておくかは、接続する管継手付き波付き管の長さや、布設場所を考慮して決めればよい。
【００３５】
図８は前述した図１〜図７に示す本発明の管継手付き波付き管を、例えば４本を、水平方向に２本、垂直方向に２本それぞれその両端面が面一になるように揃えて配置し、積層して、これを長手方向所定間隔毎に、バインダ３１で結束した状態を示している。尚、この例では、一端にはすべて管継手雄部１がくるように、他端にはすべて管継手雌部１０がくるように端面を揃えてある。もちろん、これ以外に下層の２本と上層の２本の端末形状を異ならせる等の変形配置も可能であるが、その場合には、接続相手側ユニットの接続端面における管継手雄部１と管継手雌部１０の配置を、よく念頭において配置することが必要である。
図９は図８の状態をＢ方向から見た図である。
図８において、符号３０は管継手付き波付き管の長手方向に所定間隔で設けてある枕部で、これは図１に示す管継手雄部１の先端部近傍に設けてある枕部２や、管継手雌部１０に形成してある抜け止めリング収納部１１の外形と略同一形状、同一寸法になっている。
【００３６】
前述したように抜け止めリング収納部１１の外形は角数が２ｎ（ｎ＝２以上の自然数）の多角形の形状をしていて、かつ対向する互いに平行な面間の距離は波付き管の外径とほぼ同じになっている。すなわち枕部２も枕部３０もその外形は、この抜け止めリング収納部１１の外形と略同形、同寸法であるから、図８、図９が示すように各管継手付き波付き管は左右上下に互いにほぼ接触した状態でユニット化することができる。
よって、極めてコンパクトにできると共に、布設後上方からの圧力や側方からの力に対して、より耐久性に優れたものとすることができる。
尚、この例では４本の管継手付き波付き管で管継手付き波付き管ユニットを形成しているが、４本以下、４本以上いずれの本数によるユニット化においても、同様の効果を得ることができる。
【００３７】
このように管継手付き波付き管をユニット化した場合、ユニット同士を接続しようとすると、ユニットをコンパクトに構成したがために、ユニットを構成する各管継手付き波付き管の周囲には接続作業を行うスペースはほとんど存在しない。
しかしながら、本発明の管継手付き波付き管であれば、一方の管継手付き波付き管の管継手雄部を、接続相手のユニットを構成する管継手付き波付き管の管継手雌部に、単に差し込むだけで接続することができる。それ故、この種の管継手付き波付き管ユニット同士の接続も簡単に行うことができる。
しかも防水性パッキンが断面スカート状をしていたり、抜け止めリングに割りを設けておいたり、さらには特に図７に示すように係止爪と係止部間に遊びｔを設けておけば、管継手付き波付き管ユニットを構成している各管継手付き波付き管に多少の製造誤差、例えば長さ方向に多少誤差があっても、相互のユニットの一括接続を容易に、かつ確実に行うことが可能になる。
【００３８】
また波付き管の波は、らせん状の波であってもよいし、一個一個独立した波であってもよい。いずれの波の形状でも本発明を適用できることは言うまでもない。
【００３９】
以上述べたように、本発明によれば、接続スペースがあまりなくとも接続可能で、１本毎に埋設された波付き管同士の接続はもちろんのこと、波付き管を複数本集合して形成したユニット同士の接続にも容易に適用できる管継手付き波付き管及び管継手付き波付き管ユニットを提供することができる。
【符号の説明】
【００４０】
１  管継手雄部
２  枕部
４  防水用パッキング
５  防水用パッキング収納部
６  小径部
７  係止部
１０  管継手雌部
１１  抜け止めリング収納部
１２  防水用パッキン押圧部
１３  抜け止めリング
１３ａ  係止爪
１４  ストッパー
１５ａ、１５ｂ  絞り部
１６  割り
３０  枕部
３１  バインダ
【図１】
2010210093.tif 000003
【図２】
2010210093.tif 000004
【図３】
2010210093.tif 000005
【図４】
2010210093.tif 000006
【図５】
2010210093.tif 000007
【図６】
2010210093.tif 000008
【図７】
2010210093.tif 000009
【図８】
2010210093.tif 000010
【図９】
2010210093.tif 000011